(57)【要約】      （修正有）【課題】網戸の構造と構成を二重に変えることにより防虫効果を向上させ通気性や採光性を損なわずに風圧風速を緩和させ高層階等の強風をはじめ飛来花粉や車両タイヤ粉塵やガラス戸の結露等の対策を低コストで提供する。【解決手段】網戸枠の片面に複数の段差溝を設け又は両面に溝を設けて二重構造にする方法か又は既成網戸にセット用網戸枠を着脱自在な方法で重ねて設置して二重構成にする方法により風圧調整に有効な適度の間隔を空けた二重網戸を形成させ二重網の抵抗による気流変化の効果により上記課題を解決することができる。【選択図】図２
0003142639.tif 000002
【実用新案登録請求の範囲】
【請求項１】
長手枠材１と短手枠材２で構成する網戸枠表面の巾方向の外周側を外枠部８と呼び内周側は内枠部９と呼称する約束において厚み方向に外枠部８を厚く内枠部９を薄くした形で段差をつけた各段に長さ方向に沿って所定の巾深さ形状の溝４を併設した長手枠材１と短手枠材を用いて四角形又は長方形に網戸枠を組み立て内枠部から外枠部の順番で各枠上に敷き広げた所定の網６の上から弾力性を有する紐５を溝に押し込み装着させることにより所定の間隔を空けて二重に網を張ることが出来る構造の二重網戸。
【請求項２】
表裏両面に長さ方向に沿って所定の巾深さ形状で溝４を設けた長手枠材１と短手枠材２を用いて四角形又は長方形に組み立て表裏片面ずつ順番に枠上に敷き広げた網６の上から弾力性を有する紐５を溝４に押し込み装着させることにより所定の間隔を空けて二重に網を張ることが出来る構造の二重網戸
【請求項３】
網戸枠の屋外側表面に長さ方向に沿って所定の巾深さ形状の単数溝を設けた既成網戸の表面に同一構造のセット用網戸を着脱自在な方法で取り付け部材７等使用して取り付けることにより所定の間隔を空けて二重に網を張ることが出来る構成の二重網戸。
【考案の詳細な説明】
【技術分野】
【０００１】
本考案は二重網戸の構造と構成に関するものである。
【背景技術】
【０００２】
従来の網戸枠は屋外側表面に長さ方向に沿って単数溝を設けた網戸枠材を用いて四角形又は長方形に組み立て網の上からゴム等の丸紐をローラー等で溝に押しこみ装着させて１枚の網を張る構造であり防虫対策が主目的で強風や花粉や微粉塵対策には微細繊維布を網に張り合わせる等網目を細かくする以外方法が無かった。
【特許文献１】特開２００４−１３７８７７
【特許文献２】特開平０７−１５８３５２
【特許文献３】特開平０６−１６７１７１
【考案の開示】
【考案が解決しようとする課題】
【０００３】
従来の網戸は蚊やハエなどの防虫対策が主目的のため１枚用の網張り構造であり時代環境の変化による高層階の強風をはじめ飛来花粉や車両タイヤ粉塵や寒風がもたらすガラス戸の結露等の対策としては考慮されておらず効果がほとんど無かった。最近では花粉対策用の微細繊維布を網と併用する形式のものも登場してきたがコストも高く網目が微細過ぎると網戸本来の通気性と採光性が失われる難点がある。
【課題を解決するための手段】
【０００４】
本考案は網戸枠の片面に複数の段差溝又は両面に溝を設けて二重構造にする方法か又は既成造網戸にセット用網戸枠を着脱自在な方法で重ねて設置して二重構成にする方法により風圧調整に有効な適度の間隔を空けた二重網戸を形成する事が出来る。
【考案の効果】
【０００５】
本考案は適度の間隔をあけた細網目の二重網の抵抗による気流変化の効果により適度な通気性と採光性を保ちながら強い風圧風速を緩和することが可能なため飛来花粉や車両タイヤゴムの磨耗粉塵等の侵入やガラス戸の結露対策としても緩和効果があり更に本来の防虫効果も向上させ特殊網素材など余計なコストもかからない。
【考案を実施するための最良の形態】
【０００６】
請求項１に示す片面段差式の二重網戸枠について後記の図１〜図４と照合しながら解説する。網戸枠材の片側表面に厚み方向に外枠部８を厚く内枠部９を薄くして５〜１０ｍｍ前後の段差をつけた断面図３の各段に、長さ方向に沿って所定の巾深さ形状の溝４を併設した所定の長さの長手枠材１と短手枠材２を作る。この網戸枠材の長手枠材二本を左右平行に間を開けて並べその上端と下端のそれぞれの間に二本の短手枠材を上下平行に並べて図１に示す四角形又は長方形に組み厚み側面からビス又はコーナー部材等で固定する。
【０００７】
掃出し口用網戸枠など枠組みに強度を要する場合は図４の断面を持つ中枠材３を使用する。中枠材３の表面には巾方向の上下端面に長手方向に沿って所定の位置と巾深さ形状の紐装着用の溝４を設ける。上記四角又は長方形に組まれた左右長手枠材１の中央部分の内枠側に上下の短手枠材２と平行にこの中枠材３を渡して左右をビス等で固定して図１に示す形に取り付ける。
【０００８】
片面段差網戸枠に張る網は２４メッシュ以上の細網目のものを使用し組みあがった網戸枠の上に敷いた網６の上から溝４にゴム等の丸紐５をローラー等で押し込み装着させ網の余部を切除する。二枚の網張りは内枠部を先に外枠部は後の手順で行う。
【０００９】
請求項２に示す両面溝式網戸枠について後記の図５〜図８と照合しながら解説する。長手枠材１と短手枠材２の表裏両面に長さ方向に沿って所定の巾深さ形状で図７に示す断面を持つ溝４を設ける。  
【００１０】
これらの枠材を用いて図５に示す四角形又は長方形に組み立て表裏片面ずつ枠上に敷いた網６の上から溝４にゴム等の丸紐５をローラー等で押し込み装着させて網６を張り余分な網は切除する。片面の網を張った後網戸の枠組を裏返して上記の作業を繰り返し表裏両面に網を張る。図８の断面を持つ中枠材３は強度上必要に応じて使用し前記請求項１に準ずる方法で図５に示す形に取り付ける。
【００１１】
請求項３に示すセット用の網戸枠について後記の図９〜図１４と照合しつつ解説する。図１１の断面をもつセット用の網戸枠は既設網戸枠より細巾にするのがコスト的に望ましく片側表面の各所定位置に長さ方向に沿って所定の巾深さ形状の丸紐装着用溝４を設ける。
【００１２】
このセット用の網戸の長手枠材１と短手枠材２を使って前記の要領で図９に示す四角形又は長方形に組み立て厚み方向からビス又はコーナー部材等で固定し組みたてる。この場合強度上必要に応じて中枠材３を前記の請求項１の方法に準じて取り付ける。網戸枠の上に２４メッシュ以上の細網目の網６を敷き網の上から溝４にゴム等の丸紐５をローラー等で押しこみ装着させる事により網６を張る。
【００１３】
既成既存の網戸と図９に示すセット用の網戸のそれぞれ所定位置に図１３に示す取り付け部材７を取り付け図１４に示すように設置する。
【図面の簡単な説明】
【００１４】
【図１】片面段差溝式の網戸枠組み立て斜視図
【図２】片面段差溝式の網戸枠組み立て側面図
【図３】片面段差溝式の網戸長短枠材断面図
【図４】片面段差溝式の網戸中枠材断面図
【図５】両面溝式の網戸枠組み立て斜視図
【図６】両面溝式の網戸枠組み立て側面図
【図７】両面溝式の網戸長短枠材断面図
【図８】両面溝式の網戸中枠材断面図
【図９】セット用の網戸枠組み立て斜視図
【図１０】セット用の網戸枠組み立て側面図
【図１１】セット用の網戸長短枠材断面図
【図１２】セット用の網戸中枠材断面図
【図１３】セット用の網戸取り付け部材例参考図
【図１４】セット用の網戸取り付け方参考図
【符号の説明】
【００１５】
１  長手枠材
２  短手枠材
３  中枠材
４  紐装着用の溝
５  紐
６  網
７  取り付け部材
８  外枠部
９  内枠部
【図１】
0003142639.tif 000003
【図２】
0003142639.tif 000004
【図３】
0003142639.tif 000005
【図４】
0003142639.tif 000006
【図５】
0003142639.tif 000007
【図６】
0003142639.tif 000008
【図７】
0003142639.tif 000009
【図８】
0003142639.tif 000010
【図９】
0003142639.tif 000011
【図１０】
0003142639.tif 000012
【図１１】
0003142639.tif 000013
【図１２】
0003142639.tif 000014
【図１３】
0003142639.tif 000015
【図１４】
0003142639.tif 000016